(57)【要約】【課題】  回線交換網とパケット交換網とで異なる電話番号を利用しながらワンナンバーシステムを実現することができる移動通信システムを得る。【解決手段】  ＵＥ２１が回線交換方式の移動通信網１５に対して位置登録要求を行なうと、ＩＰ網５に設置された加入者データベース４においてもＵＥ２１の位置登録が行なわれる。呼制御サーバ１は、ＰＳＴＮ３１からのＵＥ２１への着信要求を受けると、加入者データベース４を利用してＵＥ２１がどちらの網内にいるかを判断し、移動通信網１５内にいるのであれば、着信要求に含まれる着信者番号（ＩＰ網５の電話番号）を移動通信網１５の電話番号に変換して着信要求を移動通信網１５に転送する。また、移動通信網１５内のＵＥ２１からの発信要求は呼制御サーバ１に転送され、呼制御サーバ１は、発信者番号をＩＰ網５の電話番号に変換して再発信を行なう。【選択図】      図１
2007142610.tif 000002
【特許請求の範囲】
【請求項１】
回線交換方式の第１の移動通信網と、パケット交換方式の第２の移動通信網と、前記第１及び第２の移動通信網各々毎に異なる電話番号を割り当てられた移動端末と、前記移動端末から前記第１の移動通信網に対する位置登録要求に応答して前記移動端末の位置管理をなす第１の位置管理手段と、前記移動端末から前記第２の移動通信網に対する位置登録要求に応答して前記移動端末の位置管理をなす第２の位置管理手段と、前記第２の位置管理手段の位置情報を基に前記第２の移動通信網における呼制御をなす呼制御サーバとを有する移動通信システムであって、
前記第１の移動通信網は、前記移動端末から前記第１の移動通信網に対する位置登録要求がなされると、前記第１の位置管理手段に加えて前記第２の位置管理手段に対しても前記移動端末の位置登録要求をなし、
前記第２の位置管理手段は、前記第１の移動通信網からの位置登録要求に応答して前記移動端末の位置管理をなし、
前記呼制御サーバは、前記第２の位置管理手段の位置情報を基に前記第１の移動通信網に接続されていると判断される前記移動端末に対する着信要求があった場合、前記着信要求に含まれる着信者番号を前記第１の移動通信網用の前記移動端末の電話番号に変換して前記着信要求を前記第１の移動通信網に転送するようにしたことを特徴とする移動通信システム。
【請求項２】
前記第１の移動通信網は、自網に接続された前記移動端末からの発信要求があった場合、前記発信要求を前記呼制御サーバに転送し、
前記呼制御サーバは、前記発信要求に含まれる発信者番号を前記第２の移動通信網用の前記移動端末の電話番号に変換して再発信を行なうようにしたことを特徴とする請求項１記載の移動通信システム。
【請求項３】
前記第１の移動通信網からの位置登録要求に応答して行なわれる前記第２の位置管理手段における前記移動端末の位置管理では、位置情報として前記移動端末が前記第１の移動通信網に存在することを示す情報のみが前記第２の位置管理手段に登録され、前記移動端末の詳細な位置情報は登録されないことを特徴とする請求項１または２記載の移動通信システム。
【請求項４】
前記呼制御サーバ及び前記第２の移動通信網は、ＰＳＴＮ（Ｐｕｂｌｉｃ  Ｓｗｉｔｃｈｅｄ  Ｔｅｌｅｐｈｏｎｅ  Ｎｅｔｗｏｒｋ）を介して前記第１の移動通信網に接続されていることを特徴とする請求項１〜３いずれか記載の移動通信システム。
【請求項５】
回線交換方式の第１の移動通信網と、パケット交換方式の第２の移動通信網と、前記第１及び第２の移動通信網各々毎に異なる電話番号を割り振られた移動端末と、前記移動端末から前記第１の移動通信網に対する位置登録要求に応答して前記移動端末の位置管理をなす第１の位置管理手段と、前記移動端末から前記第２の移動通信網に対する位置登録要求に応答して前記移動端末の位置管理をなす第２の位置管理手段と、前記第２の位置管理手段の位置情報を基に前記第２の移動通信網における呼制御をなす呼制御サーバとを有する移動通信システムの呼制御方法であって、
前記第１の移動通信網において、前記移動端末から前記第１の移動通信網に対する位置登録要求がなされると、前記第１の位置管理手段に加えて前記第２の位置管理手段に対しても前記移動端末の位置登録要求をなすステップと、
前記第２の位置管理手段において、前記第１の移動通信網からの位置登録要求に応答して前記移動端末の位置管理をなすステップと、
前記呼制御サーバにおいて、前記第２の位置管理手段の位置情報を基に前記第１の移動通信網に接続されていると判断される前記移動端末に対する着信要求があった場合、前記着信要求に含まれる着信者番号を前記第１の移動通信網用の前記移動端末の電話番号に変換して前記着信要求を前記第１の移動通信網に転送するステップとを含むことを特徴とする呼制御方法。
【請求項６】
前記第１の移動通信網において、自網に接続された前記移動端末からの発信要求があった場合、前記発信要求を前記呼制御サーバに転送するステップと、
前記呼制御サーバにおいて、前記発信要求に含まれる発信者番号を前記第２の移動通信網用の前記移動端末の電話番号に変換して再発信を行なうステップとを含むことを特徴とする請求項５記載の呼制御方法。
【請求項７】
前記第１の移動通信網からの位置登録要求に応答して行なわれる前記第２の位置管理手段における前記移動端末の位置管理では、位置情報として前記移動端末が前記第１の移動通信網に存在することを示す情報のみが前記第２の位置管理手段に登録され、前記移動端末の詳細な位置情報は登録されないことを特徴とする請求項５または６記載の呼制御方法。
【請求項８】
前記呼制御サーバ及び前記第２の移動通信網は、ＰＳＴＮ（Ｐｕｂｌｉｃ  Ｓｗｉｔｃｈｅｄ  Ｔｅｌｅｐｈｏｎｅ  Ｎｅｔｗｏｒｋ）を介して前記第１の移動通信網に接続されていることを特徴とする請求項５〜７いずれか記載の呼制御方法。
【請求項９】
回線交換方式の第１の移動通信網と、パケット交換方式の第２の移動通信網と、前記第１及び第２の移動通信網各々毎に異なる電話番号を割り振られた移動端末と、前記移動端末から前記第１の移動通信網に対する位置登録要求に応答して前記移動端末の位置管理をなす第１の位置管理手段と、前記移動端末から前記第２の移動通信網に対する位置登録要求に応答して前記移動端末の位置管理をなす第２の位置管理手段と、前記第２の位置管理手段の位置情報を基に前記第２の移動通信網における呼制御をなす呼制御サーバとを有する移動通信システムにおける呼制御サーバであって、
前記移動端末から前記第１の移動通信網に対する位置登録要求がなされると前記第２の位置管理手段に対して前記移動端末の位置登録要求をなす前記第１の移動通信網からの該位置登録要求に応答して前記移動端末の位置管理をなす前記第２の位置管理手段の位置情報を基に前記第１の移動通信網に接続されていると判断される前記移動端末に対する着信要求があった場合、前記着信要求に含まれる着信者番号を前記第１の移動通信網用の前記移動端末の電話番号に変換して前記着信要求を前記第１の移動通信網に転送するようにしたことを特徴とする呼制御サーバ。
【請求項１０】
前記第１の移動通信網に接続された前記移動端末から発せられ前記第１の移動通信網から自サーバに転送されてきた発信要求に対し、前記発信要求に含まれる発信者番号を前記第２の移動通信網用の前記移動端末の電話番号に変換して再発信を行なうようにしたことを特徴とする請求項９記載の呼制御サーバ。
【請求項１１】
前記第１の移動通信網からの位置登録要求に応答して行なわれる前記第２の位置管理手段における前記移動端末の位置管理では、位置情報として前記移動端末が前記第１の移動通信網に存在することを示す情報のみが前記第２の位置管理手段に登録され、前記移動端末の詳細な位置情報は登録されないことを特徴とする請求項９または１０記載の呼制御サーバ。
【請求項１２】
前記呼制御サーバ及び前記第２の移動通信網は、ＰＳＴＮ（Ｐｕｂｌｉｃ  Ｓｗｉｔｃｈｅｄ  Ｔｅｌｅｐｈｏｎｅ  Ｎｅｔｗｏｒｋ）を介して前記第１の移動通信網に接続されていることを特徴とする請求項９〜１１いずれか記載の呼制御サーバ。
【請求項１３】
回線交換方式の第１の移動通信網と、パケット交換方式の第２の移動通信網と、前記第１及び第２の移動通信網各々毎に異なる電話番号を割り振られた移動端末と、前記移動端末から前記第１の移動通信網に対する位置登録要求に応答して前記移動端末の位置管理をなす第１の位置管理手段と、前記移動端末から前記第２の移動通信網に対する位置登録要求に応答して前記移動端末の位置管理をなす第２の位置管理手段と、前記第２の位置管理手段の位置情報を基に前記第２の移動通信網における呼制御をなす呼制御サーバとを有する移動通信システムにおける呼制御サーバの呼制御方法をコンピュータに実行させるためのプログラムであって、
前記移動端末から前記第１の移動通信網に対する位置登録要求がなされると前記第２の位置管理手段に対して前記移動端末の位置登録要求をなす前記第１の移動通信網からの該位置登録要求に応答して前記移動端末の位置管理をなす前記第２の位置管理手段の位置情報を基に前記第１の移動通信網に接続されていると判断される前記移動端末に対する着信要求があった場合、前記着信要求に含まれる着信者番号を前記第１の移動通信網用の前記移動端末の電話番号に変換して前記着信要求を前記第１の移動通信網に転送する処理を含むことを特徴とするプログラム。
【請求項１４】
前記第１の移動通信網に接続された前記移動端末から発せられ前記第１の移動通信網から自サーバに転送されてきた発信要求に対し、前記発信要求に含まれる発信者番号を前記第２の移動通信網用の前記移動端末の電話番号に変換して再発信を行なう処理を含むことを特徴とする請求項１３記載のプログラム。
【発明の詳細な説明】
【技術分野】
【０００１】
本発明は移動通信システム、呼制御サーバ及び呼制御方法並びにプログラムに関し、特に回線交換網とＩＰ（Ｉｎｔｅｒｎｅｔ  Ｐｒｏｔｏｃｏｌ）網とを有する移動通信システムに関する。
【背景技術】
【０００２】
特許文献１記載の移動通信システムについて述べる。この移動通信システムでは回線交換方式の移動通信網とＩＰ網とが併存しており、これら網毎に移動端末の位置管理を行なう位置管理コンピュータ（ＨＬＲ（Ｈｏｍｅ  Ｌｏｃａｔｉｏｎ  Ｒｅｇｉｓｔｅｒ）、ＳＩＰ（Ｓｅｓｓｉｏｎ  Ｉｎｉｔｉａｔｉｏｎ  Ｐｒｏｔｏｃｏｌ）サーバ）が設置されている。
【０００３】
移動端末がＩＰ網に収容される場合、移動端末はＩＰ網に対して位置登録要求を行い、ＳＩＰサーバは移動端末の位置登録を行なうと共にＨＬＲに対して位置登録要求を行なって、これにより、ＨＬＲにおいてＩＰ網に収容される移動端末の位置登録が行なわれる。
【０００４】
網間の通信を中継する通信中継装置において移動端末に対する着信要求があった場合、通信中継装置は、ＨＬＲに登録されている位置情報を基に移動端末が移動通信網とＩＰ網のどちらに収容されているかを判断して、収容されている網を介して移動端末への通信を中継する。
【０００５】
【特許文献１】特開２００２−１８６０１１号公報
【発明の開示】
【発明が解決しようとする課題】
【０００６】
特許文献１記載の移動通信システムは、移動体事業者の回線交換網とパケット交換網を利用する場合のネットワーク構成であり、同一事業者が両アクセスネットワークを持つことを前提としている。したがって、回線交換網とパケット交換網各々毎に異なる電話番号を用いることなく、一つの電話番号で着信を受け付けることが可能である。
【０００７】
しかしながら、固定事業者のパケット交換網と移動体事業者の回線交換網を利用するというように、異なる事業者が別々にアクセスネットワークを持つ場合、移動端末の電話番号を統一することは困難である。このように事業者が異なり、事業者毎に（回線交換網とパケット交換網各々毎に）異なる電話番号が移動端末に割り当てられる場合、特許文献１記載の技術では、着信を受け付ける電話番号を一つに統一するワンナンバーシステムを実現することができない。
【０００８】
本発明の目的は、回線交換網とパケット交換網とで異なる電話番号を利用しながらワンナンバーシステムを実現することができる移動通信システム、呼制御サーバ及び呼制御方法並びにプログラムを提供することである。
【課題を解決するための手段】
【０００９】
本発明による移動通信システムは、回線交換方式の第１の移動通信網と、パケット交換方式の第２の移動通信網と、前記第１及び第２の移動通信網各々毎に異なる電話番号を割り当てられた移動端末と、前記移動端末から前記第１の移動通信網に対する位置登録要求に応答して前記移動端末の位置管理をなす第１の位置管理手段と、前記移動端末から前記第２の移動通信網に対する位置登録要求に応答して前記移動端末の位置管理をなす第２の位置管理手段と、前記第２の位置管理手段の位置情報を基に前記第２の移動通信網における呼制御をなす呼制御サーバとを有する移動通信システムであって、前記第１の移動通信網は、前記移動端末から前記第１の移動通信網に対する位置登録要求がなされると、前記第１の位置管理手段に加えて前記第２の位置管理手段に対しても前記移動端末の位置登録要求をなし、前記第２の位置管理手段は、前記第１の移動通信網からの位置登録要求に応答して前記移動端末の位置管理をなし、前記呼制御サーバは、前記第２の位置管理手段の位置情報を基に前記第１の移動通信網に接続されていると判断される前記移動端末に対する着信要求があった場合、前記着信要求に含まれる着信者番号を前記第１の移動通信網用の前記移動端末の電話番号に変換して前記着信要求を前記第１の移動通信網に転送するようにしたことを特徴とする。
【００１０】
また、前記移動通信システムにおいて、前記第１の移動通信網は、自網に接続された前記移動端末からの発信要求があった場合、前記発信要求を前記呼制御サーバに転送し、前記呼制御サーバは、前記発信要求に含まれる発信者番号を前記第２の移動通信網用の前記移動端末の電話番号に変換して再発信を行なうようにしたことを特徴とする。
【００１１】
本発明による呼制御方法は、回線交換方式の第１の移動通信網と、パケット交換方式の第２の移動通信網と、前記第１及び第２の移動通信網各々毎に異なる電話番号を割り振られた移動端末と、前記移動端末から前記第１の移動通信網に対する位置登録要求に応答して前記移動端末の位置管理をなす第１の位置管理手段と、前記移動端末から前記第２の移動通信網に対する位置登録要求に応答して前記移動端末の位置管理をなす第２の位置管理手段と、前記第２の位置管理手段の位置情報を基に前記第２の移動通信網における呼制御をなす呼制御サーバとを有する移動通信システムの呼制御方法であって、前記第１の移動通信網において、前記移動端末から前記第１の移動通信網に対する位置登録要求がなされると、前記第１の位置管理手段に加えて前記第２の位置管理手段に対しても前記移動端末の位置登録要求をなすステップと、前記第２の位置管理手段において、前記第１の移動通信網からの位置登録要求に応答して前記移動端末の位置管理をなすステップと、前記呼制御サーバにおいて、前記第２の位置管理手段の位置情報を基に前記第１の移動通信網に接続されていると判断される前記移動端末に対する着信要求があった場合、前記着信要求に含まれる着信者番号を前記第１の移動通信網用の前記移動端末の電話番号に変換して前記着信要求を前記第１の移動通信網に転送するステップとを含むことを特徴とする。
【００１２】
また、前記呼制御方法において、前記第１の移動通信網において、自網に接続された前記移動端末からの発信要求があった場合、前記発信要求を前記呼制御サーバに転送するステップと、前記呼制御サーバにおいて、前記発信要求に含まれる発信者番号を前記第２の移動通信網用の前記移動端末の電話番号に変換して再発信を行なうステップとを含むことを特徴とする。
【００１３】
本発明による呼制御サーバは、回線交換方式の第１の移動通信網と、パケット交換方式の第２の移動通信網と、前記第１及び第２の移動通信網各々毎に異なる電話番号を割り振られた移動端末と、前記移動端末から前記第１の移動通信網に対する位置登録要求に応答して前記移動端末の位置管理をなす第１の位置管理手段と、前記移動端末から前記第２の移動通信網に対する位置登録要求に応答して前記移動端末の位置管理をなす第２の位置管理手段と、前記第２の位置管理手段の位置情報を基に前記第２の移動通信網における呼制御をなす呼制御サーバとを有する移動通信システムにおける呼制御サーバであって、前記移動端末から前記第１の移動通信網に対する位置登録要求がなされると前記第２の位置管理手段に対して前記移動端末の位置登録要求をなす前記第１の移動通信網からの該位置登録要求に応答して前記移動端末の位置管理をなす前記第２の位置管理手段の位置情報を基に前記第１の移動通信網に接続されていると判断される前記移動端末に対する着信要求があった場合、前記着信要求に含まれる着信者番号を前記第１の移動通信網用の前記移動端末の電話番号に変換して前記着信要求を前記第１の移動通信網に転送するようにしたことを特徴とする。
【００１４】
また、前記呼制御サーバにおいて、前記第１の移動通信網に接続された前記移動端末から発せられ前記第１の移動通信網から自サーバに転送されてきた発信要求に対し、前記発信要求に含まれる発信者番号を前記第２の移動通信網用の前記移動端末の電話番号に変換して再発信を行なうようにしたことを特徴とする。
【００１５】
本発明によるプログラムは、回線交換方式の第１の移動通信網と、パケット交換方式の第２の移動通信網と、前記第１及び第２の移動通信網各々毎に異なる電話番号を割り振られた移動端末と、前記移動端末から前記第１の移動通信網に対する位置登録要求に応答して前記移動端末の位置管理をなす第１の位置管理手段と、前記移動端末から前記第２の移動通信網に対する位置登録要求に応答して前記移動端末の位置管理をなす第２の位置管理手段と、前記第２の位置管理手段の位置情報を基に前記第２の移動通信網における呼制御をなす呼制御サーバとを有する移動通信システムにおける呼制御サーバの呼制御方法をコンピュータに実行させるためのプログラムであって、前記移動端末から前記第１の移動通信網に対する位置登録要求がなされると前記第２の位置管理手段に対して前記移動端末の位置登録要求をなす前記第１の移動通信網からの該位置登録要求に応答して前記移動端末の位置管理をなす前記第２の位置管理手段の位置情報を基に前記第１の移動通信網に接続されていると判断される前記移動端末に対する着信要求があった場合、前記着信要求に含まれる着信者番号を前記第１の移動通信網用の前記移動端末の電話番号に変換して前記着信要求を前記第１の移動通信網に転送する処理を含むことを特徴とする。
【００１６】
また、前記プログラムにおいて、前記第１の移動通信網に接続された前記移動端末から発せられ前記第１の移動通信網から自サーバに転送されてきた発信要求に対し、前記発信要求に含まれる発信者番号を前記第２の移動通信網用の前記移動端末の電話番号に変換して再発信を行なう処理を含むことを特徴とする。
【００１７】
このように、本発明では、移動端末が回線交換方式の第１の移動通信網に対して位置登録要求を行なうと、パケット交換方式の第２の移動通信網に設置された第２の位置管理手段においても移動端末の位置登録が行なわれ、第２の移動通信網の呼制御サーバは、移動端末に対する着信要求を受けると、第２の位置管理手段を利用して移動端末がどちらの網内にいるかを判断し、第１の移動通信網内にいるのであれば、着信要求を第１の移動通信網に転送する。このとき、呼制御サーバは、着信要求に含まれる着信者番号を変換して転送を行なうようにしており、したがって、網毎に異なる電話番号を利用しながら一つの番号で着信を受け付けることが可能になる。
【発明の効果】
【００１８】
本発明によれば、以下に述べる構成及び動作により、回線交換網とパケット交換網とで異なる電話番号を利用しながらワンナンバーシステムを実現することができるという効果が得られる。
【発明を実施するための最良の形態】
【００１９】
以下、本発明の実施例について図面を参照して説明する。
【００２０】
図１は本発明の実施例による移動通信システムの構成を示す図である。ＩＰ網５上に、音声パスを設定するためにシグナリングを送受信する呼制御サーバ１と、実際の音声データを送受信しＩＰ音声パケットとＩＳＤＮ（Ｉｎｔｅｇｒａｔｅｄ  Ｓｅｒｖｉｃｅ  Ｄｉｇｉｔａｌ  Ｎｅｔｗｏｒｋ）音声を変換するメディアゲートウェイ２が配され、これら装置はそれぞれＰＳＴＮ（Ｐｕｂｌｉｃ  Ｓｗｉｔｃｈｅｄ  Ｔｅｌｅｐｈｏｎｅ  Ｎｅｔｗｏｒｋ）３１に接続される。また、これら装置はそれぞれ、ＩＰ網５とのインタフェースはＩＰに準拠し、ＰＳＴＮ３１とのインタフェースは共通線信号方式に準拠する。さらに、呼制御サーバ１は、利用するメディアゲートウェイ２を制御するためのＩＰに準拠したインタフェースを持つ。
【００２１】
ＵＥ（Ｕｓｅｒ  Ｅｑｕｉｐｍｅｎｔ）２１の加入者情報は加入者データベース４に保持され、加入者データベース４は、呼制御サーバ１とのインタフェースとしてＩＰに準拠したインタフェースを持ち、ＵＥ２１の端末認証や位置管理などを行う。シグナリングとＩＰ音声パケットは、ＩＰ網５を介してＡＰ（Ａｃｃｅｓｓ  Ｐｏｉｎｔ）３で無線回線を利用して、ＵＥ２１と送受信される。このＡＰ３が無線回線として無線ＬＡＮを利用すれば、一般的に利用されている無線ＬＡＮを利用したＩＰ電話の仕組みと同様である。
【００２２】
一方、回線交換方式の移動通信網１５の音声通信を行うための装置として、移動通信交換局１１、基地局制御装置１２及び基地局１３があり、基地局１３とＵＥ２１は例えばＷ‐ＣＤＭＡやＣＤＭＡ２０００などの移動通信無線回線を介して接続される。ＨＬＲ１４は、ＵＥ２１の移動通信網１５の利用可否の認証に利用し、移動通信交換局１１と移動通信システムに準拠したプロトコルを利用して接続される。
【００２３】
メディアゲートウェイ２と移動通信交換局１１の間はＩＳＤＮに準拠した音声パケットを送受信する。呼制御サーバ１と移動通信交換局１１の間は共通線信号方式に準拠したシグナリングを送受信する。また、移動通信交換局１１は、加入者データベース４から加入者情報を引き出すためのインタフェースを持つ。このプロトコルには、移動通信システムに準拠したプロトコルが利用される。
【００２４】
従来の構成では、移動管理および加入者情報を保持するサーバとしてＨＬＲが移動通信網内に存在しているが、本実施例におけるＨＬＲ１４は移動通信網１５内でＵＥ２１を利用できるかどうかの認証にだけ利用し、実際の加入者情報はＩＰ網５側の加入者データベース４に保持する。また、一般的な移動通信システムでは、ＨＬＲの情報を訪問先のネットワークのＶＬＲ（Ｖｉｓｉｔｏｒ  Ｌｏｃａｔｉｏｎ  Ｒｅｇｉｓｔｅｒ）に転送する仕組みが多く用いられているが、本実施例ではそのＶＬＲは移動通信交換局１１に内蔵されている。
【００２５】
図２は図１のＵＥ２１が位置登録を行う際の動作を示すシーケンス図である。ＩＰ網５配下にＵＥ２１がいる場合、ＵＥ２１は、ＩＰ網５に接続されたＡＰ３を経由して呼制御サーバ１にアクセスする（ステップＳ１）。呼制御サーバ１は、加入者データベース４に位置登録要求を行い（ステップＳ２）、加入者データベース４は、ＵＥ２１の端末認証に問題がなければＵＥ２１の位置登録を行い（ステップＳ３）、ＵＥ２１の加入者情報を呼制御サーバ１に転送する（ステップＳ４）。加入者データベース４は、加入者情報の転送に対する応答を呼制御サーバ１から受信すると（ステップＳ５）、位置登録の完了を呼制御サーバ１に通知し（ステップＳ６）、呼制御サーバ１は、ＩＰ網５を介してＵＥ２１に位置登録の完了を通知する（ステップＳ７）。
【００２６】
一方、移動通信網１５配下にＵＥ２１がいる場合、ＵＥ２１は、移動通信網１５内の基地局１３及び基地局制御装置１２を経由して移動通信交換局１１にアクセスする（ステップＳ１１）。移動通信交換局１１は、ＵＥ２１の加入者情報がＩＰ網５内に（加入者データベース４に）あると判断した場合、ＨＬＲ１４に位置登録要求を行い（ステップＳ１２）、ＨＬＲ１４は、ＵＥ２１の端末認証に問題がなければＵＥ２１の位置登録を行い（ステップＳ１３）、ＵＥ２１の端末認証の完了を移動通信交換局１１に通知する（ステップＳ１４）。
【００２７】
次に、移動通信交換局１１は、加入者データベース４にＵＥ２１の位置登録要求を行い（ステップＳ１５）、加入者データベース４は、ＵＥ２１の端末認証に問題がなければＵＥ２１の位置登録を行い（ステップＳ１６）、ＵＥ２１の加入者情報を移動通信交換局１１に転送する（ステップＳ１７）。加入者データベース４は、加入者情報の転送に対する応答を移動通信交換局１１から受信すると（ステップＳ１８）、位置登録の完了を移動通信交換局１１に通知し（ステップＳ１９）、移動通信交換局１１は、移動通信網１５を介してＵＥ２１に位置登録の完了を通知する（ステップＳ２０）。
【００２８】
移動通信交換局１１において、ＵＥ２１の加入者情報がＩＰ網５内にあると判断する方法としては、加入者ＩＤなどの情報をＵＥ２１が移動通信交換局１１に通知する方法などが考えられる。移動通信交換局１１は、ＵＥ２１からの加入者ＩＤなどの情報を基に、ＵＥ２１が移動通信網１５のみならずＩＰ網５にも接続可能な移動端末であるか否かを判断し、その結果、ＩＰ網５にも接続可能な移動端末であれば、ＵＥ２１の加入者情報がＩＰ網５内にあると判断する。なお、このＵＥ２１の加入者情報が移動通信網１５内にあると判断した場合、すなわちＵＥ２１がＩＰ網５に接続することができない端末である場合、通常の携帯電話機の位置登録となり、ＨＬＲ１４でのみＵＥ２１の端末認証と位置登録を行う。
【００２９】
また、ステップＳ１６の加入者データベース４における位置登録では、位置情報としてＵＥ２１が移動通信網１５に収容されていることを示す情報のみを加入者データベース４に登録するようにし、ＵＥ２１がどの位置登録エリアに存在するかというようなＵＥ２１の詳細な位置情報は登録されないようにしてもよい。これにより、移動通信網１５を持つ事業者が管理する情報のうち必要以上の情報が、ＩＰ網５を管理する事業者の加入者データベース４に登録されずにすむことになる。
【００３０】
図３はＵＥ２１が移動通信網１５配下にいる時の図２の移動通信交換局１１の動作を示すフローチャートである。移動通信網１５配下でＵＥ２１が位置登録を行う時（ステップＳ２１）、まず、移動通信交換局１１は、このＵＥ２１の加入者情報がＩＰ網５内にあるか移動通信網１５内にあるか判断する（ステップＳ２２）。ＵＥ２１の加入者情報が移動通信網１５内にある場合は、移動通信交換局１１は、通常の携帯電話機としてＨＬＲ１４にＵＥ２１の位置登録を行い、ＵＥ２１の加入者情報をＨＬＲ１４から取得して、位置登録を終了する（ステップＳ２６）。
【００３１】
ＵＥ２１の加入者情報がＩＰ網５内にある場合、移動通信交換局１１は、ＨＬＲ１４を利用してＵＥ２１の移動通信網１５内での端末認証を行った後（ステップＳ２３）、加入者データベース４に位置登録を行い（ステップＳ２４）、加入者データベース４からＵＥ２１の加入者情報を取得して、位置登録を終了する（ステップＳ２５）。
【００３２】
図４は図１のＵＥ２１が電話呼発信を行なう際の動作を示すシーケンス図である。ＩＰ網５配下にＵＥ２１がいる場合、ＵＥ２１はＩＰ網５に接続されたＡＰ３を経由して、呼制御サーバ１にアクセスする（ステップＳ３１）。呼制御サーバ１は外線発信と判断し、ＰＳＴＮ３１へ電話呼を発信する（ステップＳ３２）。
【００３３】
一方、移動通信網１５配下にＵＥ２１がいる場合、ＵＥ２１は移動通信網１５内の基地局１３及び基地局制御装置１２を経由して、移動通信交換局１１にアクセスする（ステップＳ３３）。移動通信交換局１１は、ＵＥ２１からの発信要求内に含まれる情報から、本ＵＥ２１の加入者情報がＩＰ網内にあると判断した場合、呼制御サーバ１に発信要求を送信する（ステップＳ３４）。呼制御サーバ１は外線発信と判断し、ＰＳＴＮ３１へ電話呼を発信する（ステップＳ３５）。
【００３４】
図５は図４のＵＥ２１が移動通信網１５配下にいる時の発信時の移動通信交換局１１の動作を示すフローチャートである。移動通信網１５配下でＵＥ２１が発信を行う時（ステップＳ４１）、移動通信交換局１１はこのＵＥ２１の加入者情報がＩＰ網５内にある場合（ステップＳ４２）、呼制御サーバ１に発信要求を転送する（ステップＳ４３）。一方、ＵＥ２１の加入者情報が移動通信網１５内にある場合（ステップＳ４２）、移動通信交換局１１は通常の携帯電話機として発信を行う（ステップＳ４４）。
【００３５】
図６は図４のＵＥ２１が移動通信網１５配下にいる時の発信時の呼制御サーバ１の動作を示すフローチャートである。移動通信網１５配下でＵＥ２１が発信を行う時、図５のステップＳ４３（図４のステップＳ３４）により移動通信交換局１１が呼制御サーバ１へ向けて発信を行う（ステップＳ５１）。呼制御サーバ１は、その呼が呼制御サーバ１配下の端末宛の場合は（ステップＳ５２）、通常の着信動作を行うが（ステップＳ５３）、呼制御サーバ１配下の端末宛では無い場合（ステップＳ５２）、転送呼としてＰＳＴＮ３１へ再発呼する（ステップＳ５４）。この転送を行うことにより、移動通信網１５配下でＵＥ２１が発呼した場合でも、ＩＰ網５を持つ事業者からの発信呼となるのである。
【００３６】
図７は図１のＵＥ２１に対する電話呼着信時の動作を示すシーケンス図である。ＰＳＴＮ３１からの着信要求は、まず呼制御サーバ１により受信される（ステップＳ６１）。着信要求を受けた呼制御サーバ１は、着信先のＵＥ２１がどこにいるか加入者データベース４に問い合わせを行う（ステップＳ６２）。
【００３７】
ここで、ＩＰ網５配下にＵＥ２１がいる場合、加入者データベース４はすぐにＵＥ２１の位置情報を呼制御サーバ１に返信し（ステップＳ６３）、呼制御サーバ１は、ＩＰ網５に接続されたＡＰ３を経由してＵＥ２１に電話呼の着信を行う（ステップＳ６４）。
【００３８】
一方、移動通信網１５配下にＵＥ２１がいる場合、加入者データベース４は、ＵＥ２１が移動している移動通信網１５内の移動通信交換局１１の位置情報を検出し、その移動通信交換局１１へＵＥ２１の位置情報を要求する（ステップＳ６５）。移動通信交換局１１はＵＥ２１の位置情報を返信し（ステップＳ６６）、加入者データベース４がＵＥ２１の位置情報を返信することで（ステップＳ６７）、呼制御サーバ１は、ＵＥ２１がいる移動通信交換局１１の位置を把握し、移動通信交換局１１へ着信要求を転送する（ステップＳ６８）。移動通信交換局１１は、移動通信網１５内の基地局制御装置１２及び基地局１３を経由してＵＥ２１に電話呼の着信を行う（ステップＳ６９）。
【００３９】
図８は図７のＵＥ２１に対する着信時の呼制御サーバ１の動作を示すフローチャートである。呼制御サーバ１は、ＵＥ２１に対する着信要求を受信すると（ステップＳ７１）、着信先のＵＥ２１がどこにいるか加入者データベース４に問い合わせを行う（ステップＳ７２）。ＵＥ２１がＩＰ網５配下にいる場合（ステップＳ７３）、呼制御サーバ１は、図７のステップＳ６４にて説明したようにＩＰ網５経由でＵＥ２１に着信要求を送信する（ステップＳ７４）。一方、ＵＥ２１が移動通信網１５配下にいる場合、呼制御サーバ１は、図７のステップＳ６５〜Ｓ６８にて説明したように移動通信交換局１１へ着信要求を送信する（ステップＳ７５）。
【００４０】
図９は本発明の実施例による移動通信システムの別の構成例を示す図である。各装置の構成は図１と同じであるが、移動通信交換局１１と、呼制御サーバ１及びメディアゲートウェイ２とがＰＳＴＮ３１を介して接続される。これにより、ＩＰ網５を持つＩＰ電話事業者と移動通信網１５を持つ移動通信事業者間をＰＳＴＮ経由で接続することが可能になる。
【００４１】
次に、図１のＵＥ２１がＩＰ網５用の電話番号と移動通信網１５用の電話番号とを別々に持つ場合に、図４〜図８を用いて説明した発着信動作において呼制御サーバ１が呼を転送する際に電話番号を変換することにより、移動通信網１５では移動通信網１５用の携帯電話番号を利用しながら、着信を受け付ける電話番号をＩＰ網５用の電話番号に統一するワンナンバーシステムを実現するための方法について図１０〜図１３を参照して説明する。
【００４２】
図１０は図４のＵＥ２１発信時のＵＥ２１の動作を示すフローチャートである。ＵＥ２１はＩＰ網５で位置登録をしたか、移動通信網１５で位置登録をしたか認識している。ＵＥ２１は発信を行なう際（図１０のステップＳ８１）、ＩＰ網５で位置登録を行っていればＩＰ網５を利用して発信を行なうため（図１０のステップＳ８２）、発信者番号をＩＰ網５の電話番号で発信する（図１０のステップＳ８３、図４のステップＳ３１）。一方、移動通信網１５で位置登録を行っていれば移動通信網１５を利用して発信を行なうため  （図１０のステップＳ８２）、ＵＥ２１は、発信者番号を移動通信網１５の電話番号で発信する（図１０のステップＳ８４、図４のステップＳ３３）。
【００４３】
図１１は図４のＵＥ２１発信時の呼制御サーバ１の動作を示すフローチャートである。呼制御サーバ１は、ＵＥ２１からの発信をＩＰ網５経由で受信したとき（図１１のステップＳ９１及びＳ９２）、発信者番号を変換することなくそのままＩＰ網５の電話番号で発信する（図１１のステップＳ９３、図４のステップＳ３２）。一方、ＵＥ２１からの発信を移動通信網１５経由で受信したとき（図１１のステップＳ９１及びＳ９２）、呼制御サーバ１は、発信者番号をＩＰ網５の電話番号に変換してから発信する（図１１のステップＳ９４、図４のステップＳ３５）。
【００４４】
図１２は図７のＵＥ２１着信時の呼制御サーバ１の動作を示すフローチャートである。ＵＥ２１への着信要求があったとき（図１２のステップＳ１０１、図７のステップＳ６１）、呼制御サーバ１は加入者データベース４を利用して、ＵＥ２１がＩＰ網５内にいるか移動通信網１５内にいるかを判断する（図１２のステップＳ１０２、図７のステップＳ６２）。ＵＥ２１がＩＰ網５配下にいる場合、呼制御サーバ１は、着信者番号を変換することなくそのままＩＰ網５の電話番号で着信する（図１２のステップＳ１０３、図７のステップＳ６４）。一方、ＵＥ２１が移動通信網１５配下にいる場合、呼制御サーバ１は、着信者番号を移動通信網１５の電話番号に変換してから着信要求を移動通信交換局１１へ転送する（図１２のステップＳ１０４、図７のステップＳ６８）。
【００４５】
図１３は図７のＵＥ２１着信時のＵＥ２１の動作を示すフローチャートである。ＵＥ２１に着信があったとき（図１３のステップＳ１１１）、ＩＰ網５からの着信の場合は（図１３のステップＳ１１２、図７のステップＳ６４）、ＵＥ２１は着信者番号をそのままで着信する（図１３のステップＳ１１３）。一方、移動通信網１５からの着信の場合は（図１３のステップＳ１１２、図７のステップＳ６９）、ＵＥ２１は、着信者番号をＩＰ網５の電話番号に変換して着信する（図１３のステップＳ１１４）。
【００４６】
ＵＥ２１と呼制御サーバ１がこの図１０〜図１３の動作を行うことにより、特に呼制御サーバ１が、移動通信交換局１１から転送されてきた呼を再発信する際に発信者番号をＩＰ網５の電話番号に変換し、また着信呼を移動通信交換局１１に転送する際に着信者番号を移動通信網１５の電話番号に変換することにより、移動通信網１５ではＩＰ網５と異なる移動通信網１５の電話番号を利用しながら、ワンナンバーシステムを実現することが可能になる。
【００４７】
なお、図３、図５、図６、図８及び図１０〜図１３に示した各フローチャートに従った処理動作は、予めＲＯＭ等の記憶媒体に格納されたプログラムを、ＣＰＵ（制御部）となるコンピュータに読み取らせて実行せしめることにより、実現できることは勿論である。
【図面の簡単な説明】
【００４８】
【図１】本発明の実施例による移動通信システムの構成を示す図である。
【図２】図１のＵＥが位置登録を行う際の動作を示すシーケンス図である。
【図３】図２の移動通信交換局の動作を示すフローチャートである。
【図４】図１のＵＥが電話呼発信を行なう際の動作を示すシーケンス図である。
【図５】図４のＵＥが移動通信網配下にいる時の発信時の移動通信交換局の動作を示すフローチャートである。
【図６】図４のＵＥが移動通信網配下にいる時の発信時の呼制御サーバの動作を示すフローチャートである。
【図７】図１のＵＥに対する電話呼着信時の動作を示すシーケンス図である。
【図８】図７のＵＥに対する着信時の呼制御サーバの動作を示すフローチャートである。
【図９】本発明の実施例による移動通信システムの別の構成例を示す図である。
【図１０】図４のＵＥ発信時のＵＥの動作を示すフローチャートである。
【図１１】図４のＵＥ発信時の呼制御サーバの動作を示すフローチャートである。
【図１２】図７のＵＥ着信時の呼制御サーバの動作を示すフローチャートである。
【図１３】図７のＵＥ着信時のＵＥの動作を示すフローチャートである。
【符号の説明】
【００４９】
１    呼制御サーバ
２    メディアゲートウェイ
３    ＡＰ
４    加入者データベース
５    ＩＰ網
１１    移動通信交換局
１２    基地局制御装置
１３    基地局
１４    ＨＬＲ
１５    移動通信網
２１    ＵＥ
３１    ＰＳＴＮ
【図１】
2007142610.tif 000003
【図２】
2007142610.tif 000004
【図３】
2007142610.tif 000005
【図４】
2007142610.tif 000006
【図５】
2007142610.tif 000007
【図６】
2007142610.tif 000008
【図７】
2007142610.tif 000009
【図８】
2007142610.tif 000010
【図９】
2007142610.tif 000011
【図１０】
2007142610.tif 000012
【図１１】
2007142610.tif 000013
【図１２】
2007142610.tif 000014
【図１３】
2007142610.tif 000015